(57)【要約】      （修正有）【課題】パジャマや室内着などを着用したままで手軽に低温サウナ効果を体験することができる岩盤浴用装置を提供する。【解決手段】ＦＲＰ層、木質部材層、ヒータ層、及び鉱石含有ＦＲＰ層で形成された底板を有し、利用者が仰臥する下部分１２と、外側から順に、ＦＲＰ層、ヒータ層、及び鉱石含有ＦＲＰ層で形成された頂板を有し、蓋となる上部分１４と、下部分の利用者の頭部が位置する個所に配置された枕２２とを備え、鉱石含有ＦＲＰ層が、黒鉛珪石と角閃石及び／又は石英片岩とを粉末状にした鉱石粉、角閃石を粉末状にした鉱石粉、石英片岩を粉末状にした鉱石粉、又は角閃石及び／又は石英片岩を粉末状にした鉱石粉、のいずれかをＦＲＰに混入することによって形成されており、枕が、黒鉛珪石、天照石、石英斑岩、及び石墨千枚岩のうち一種又は二種以上の鉱石を粒状又は粉末状にした鉱石粒又は鉱石粉をコンクリート材料に混入して硬化させることによって形成されている。【選択図】図３
0003104787.tif 000002
【実用新案登録請求の範囲】
【請求項１】
岩盤浴用装置であって、
外側から順に、ＦＲＰ層、木質部材層、ヒータ層、及び鉱石含有ＦＲＰ層で形成された底板を有し、利用者が仰臥する下部分と、
外側から順に、ＦＲＰ層、ヒータ層、及び鉱石含有ＦＲＰ層で形成された頂板を有し、蓋となる上部分と、
前記下部分の利用者の頭部が位置する個所に配置された枕とを備え、
前記鉱石含有ＦＲＰ層が、（１）黒鉛珪石と角閃石及び／又は石英片岩とを粉末状にした鉱石粉、（２）角閃石を粉末状にした鉱石粉、（３）石英片岩を粉末状にした鉱石粉、又は（４）角閃石及び／又は石英片岩を粉末状にした鉱石粉、のいずれかをＦＲＰに混入することによって形成されており、
前記枕が、黒鉛珪石、天照石、石英斑岩、及び石墨千枚岩のうち一種又は二種以上の鉱石を粒状又は粉末状にした鉱石粒又は鉱石粉をコンクリート材料に混入して硬化させることによって形成されている、
ことを特徴とする装置。
【考案の詳細な説明】
【技術分野】
【０００１】
本考案は、着衣のままで低温サウナ効果を体験することができる岩盤浴用装置に関する。
【背景技術】
【０００２】
入浴には、心身をリラックスさせる効能があるとともに、発汗作用を促し、体内の老廃物を体外に排出させる効能もある。また、サウナにも、入浴と同等、或いはそれ以上の効能がある。
【考案の開示】
【考案が解決しようとする課題】
【０００３】
入浴やサウナには、上述のような効能があるものの、着衣のままで利用することはできず、入浴したりサウナを利用したりするには、脱衣しなければならない。本考案は、このような状況に鑑みて案出されたものであって、パジャマや室内着などを着用したままで手軽に低温サウナ効果を体験することができる岩盤浴用装置を提供することを目的としている。
【課題を解決するための手段】
【０００４】
本願請求項１に記載の岩盤浴用装置は、外側から順に、ＦＲＰ層、木質部材層、ヒータ層、及び鉱石含有ＦＲＰ層で形成された底板を有し、利用者が仰臥する下部分と、外側から順に、ＦＲＰ層、ヒータ層、及び鉱石含有ＦＲＰ層で形成された頂板を有し、蓋となる上部分と、前記下部分の利用者の頭部が位置する個所に配置された枕とを備え、前記鉱石含有ＦＲＰ層が、（１）黒鉛珪石と角閃石及び／又は石英片岩とを粉末状にした鉱石粉、（２）角閃石を粉末状にした鉱石粉、（３）石英片岩を粉末状にした鉱石粉、又は（４）角閃石及び／又は石英片岩を粉末状にした鉱石粉、のいずれかをＦＲＰに混入することによって形成されており、前記枕が、黒鉛珪石、天照石、石英斑岩、及び石墨千枚岩のうち一種又は二種以上の鉱石を粒状又は粉末状にした鉱石粒又は鉱石粉をコンクリート材料に混入して硬化させることによって形成されていることを特徴とするものである。
【考案の効果】
【０００５】
本考案によれば、着衣のままで手軽に低温サウナ効果を体験することができる岩盤浴用装置が提供される。また、本考案の岩盤浴用装置は、軽量の材料（ＦＲＰ）を使用しているので、所望の場所に容易に移動させることができる。さらに、本考案の岩盤浴用装置に設けられている枕からマイナスイオンが生ずるため、体内の新陳代謝を一層活性化させることができる。
【考案を実施するための最良の形態】
【０００６】
次に添付図面を参照して、本考案の好ましい実施の形態に係る岩盤浴用装置について詳細に説明する。図１は、本考案の好ましい実施の形態に係る岩盤浴用装置を示した正面図、図２は、本考案の好ましい実施の形態に係る岩盤浴用装置を示した平面図である。図１および図２において全体として参照符号１０で示される本考案の好ましい実施の形態に係る岩盤浴用装置は、利用者が仰臥する下部分１２を備えている。下部分１２は、上方が開放した箱型形状を有しており、底板１２ａと、長辺方向の対向した一対の側板１２ｂと、短辺方向の対向した一対の側板１２ｃとを有している。
【０００７】
底板１２ａは、図４（ａ）に示されるように、４層構造（下側すなわち外側から、ガラス繊維強化プラスチック（以下「ＦＲＰ」という）層、木質部材層、ヒータ層、鉱石含有ＦＲＰ層）をなしている。ここで、木質部材層は、例えば、コンパネと通称されるコンクリート型枠用合板などの普通の木質部材で形成してよい。この木質部材層は、底板１２ａの強度を保持する支持層及び断熱材層としての役目を果たす。ヒータ層は、普通の面状発熱体を使用してよい。鉱石含有ＦＲＰ層は、（１）黒鉛珪石と角閃石及び／又は石英片岩とを粉末状にした鉱石粉、（２）角閃石を粉末状にした鉱石粉、（３）石英片岩を粉末状にした鉱石粉、又は（４）角閃石及び／又は石英片岩を粉末状にした鉱石粉、のいずれかをＦＲＰに混入することによって形成される。
【０００８】
岩盤浴用装置１０は又、下部分１２の上に位置し、蓋を構成する上部分１４を備えている（図１において一点鎖線は、上部分１４を開けた状態を示している）。上部分１４は、上方が開放した箱型形状を有しており、頂板１４ａと、長辺方向の対向した一対の側板１４ｂと、短辺方向の対向した一対の側板１４ｃとを有している。下部分１２と上部分１４は、上部分１４を閉鎖したとき、下部分１２と上部分１４とによって略密閉した空間が形成されるように、略同じ平面的な大きさを有するように形作られている。
【０００９】
底板１４ａは、図４（ｂ）に示されるように、３層構造（上側すなわち外側から、ＦＲＰ層、ヒータ層、鉱石含有ＦＲＰ層）をなしている。ここで、ヒータ層は、底板１２ａにおける場合と同様に、普通の面状発熱体を使用してよい。さらに、鉱石含有ＦＲＰ層も、底板１２ａにおける場合と同様に、（１）黒鉛珪石と角閃石及び／又は石英片岩とを粉末状にした鉱石粉、（２）角閃石を粉末状にした鉱石粉、（３）石英片岩を粉末状にした鉱石粉、又は（４）角閃石及び／又は石英片岩を粉末状にした鉱石粉、のいずれかをＦＲＰに混入することによって形成される。
【００１０】
好ましくは、上部分１４には、利用者が下部分１２に仰臥したとき顔が位置する個所に、窓１６が設けられている。窓１６は、岩盤浴用装置１０の内部から外部を見ることができるように、透明材料（例えば、アクリル樹脂）で形成されている。また、窓１６には、複数の呼吸用の開口１６ａが設けられている。
【００１１】
上部分１４は、蝶番１８によって、下部分１２に対して開閉可能に取り付けられている。図３において、参照符号２０は、上部分１４と下部分１２を連結するためのアームを示しており、アーム２０には、上部分１４を所望の開度にしてその状態を維持することができるようにロック（図示せず）が設けられている。ロックは、通常用いられているものでよい。
【００１２】
岩盤浴用装置１０は更に、下部分１２の利用者の頭部が位置する個所に配置された枕２２を備えている。枕２２は、黒鉛珪石、天照石、石英斑岩、及び石墨千枚岩のうち一種又は二種以上の鉱石を粒状又は粉末状にした鉱石粒又は鉱石粉をコンクリート材料に混入して硬化させることによって形成されている。枕２２の形成材料として、上述の鉱石を用いたことにより、枕２２からマイナスイオンが発生する。
【００１３】
なお、岩盤浴用装置１０を所望の個所に移動させ易いように、下部分１２の底部にキャスタ２４を取り付けるのが好ましい。
【００１４】
次に、以上のように構成された岩盤浴用装置１０の使用について説明する。まず、上部分１４を所望の開度にした後、岩盤浴用装置１０の中に入って、下部分１２の上に仰臥し、上部分１４を閉鎖する。電源をＯＮにして下部分１２及び上部分１４のヒータ層を４５°Ｃ〜６０°Ｃに加熱する。すると、下部分１２及び上部分１４の鉱石含有ＦＲＰ層から、遠赤外線が放射されるとともに、枕２２からマイナスイオンが放出される。これにより、皮脂腺やアポクリン腺からの発汗が促され、中性脂肪やコレステロールの他、体内の老廃物や有害化学物質が体外に搬出される。また、身体がマイナスイオンに曝されることにより、体内の新陳代謝が一層促進される。
【００１５】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１６】
例えば、前記実施の形態では、岩盤浴用装置１０が全体として箱型形状に形作られているが、岩盤浴用装置１０を他の任意の形状に形作ってもよい。また、前記実施の形態では、底板１２ａ、１４ａにのみ、遠赤外線を放射する鉱石含有ＦＲＰ層が配置されているが、遠赤外線を放射する鉱石含有ＦＲＰ層を、側板１２ｂ、１２ｃ、１４ｂ、１４ｃのいずれか又は全てに配置してもよい。
【００１７】
また、岩盤浴用装置１０内に、１又は複数のスピーカー（図示せず）を取り付け、岩盤浴をしながら、音楽を聞けるようにしてもよい。さらに、岩盤浴用装置１０内に、酸素供給装置（図示せず）を設置し、リラクゼーションを一層促進させるようにしてもよい。
【図面の簡単な説明】
【００１８】
【図１】本考案の好ましい実施の形態に係る岩盤浴用装置を示した正面図である。
【図２】本考案の好ましい実施の形態に係る岩盤浴用装置を示した平面図である。
【図３】図２の線３−３に沿って見た開蓋状態の岩盤浴用装置の断面図である。
【図４】図４（ａ）は、図３の部分４ａの拡大図、図４（ｂ）は、図３の部分４ｂの拡大図である。
【符号の説明】
【００１９】
１０  岩盤浴用装置
１２  下部分
１４  上部分
１６  窓
１８  蝶番
２０  アーム
２２  枕
２４  キャスタ
【図１】
0003104787.tif 000003
【図２】
0003104787.tif 000004
【図３】
0003104787.tif 000005
【図４】
0003104787.tif 000006